(57)【要約】【課題】  電解コンデンサの容量値を確認するための技術を提供する。【解決手段】  電解コンデンサの容量確認装置は、試験対象の電解コンデンサに充電を行うとともに、充電停止後に電解コンデンサに充電された電力を出力する充電制御部と、充電制御部から供給される電解コンデンサに充電された電力を用いて試験信号を出力する信号発生部と、試験信号を受け、試験信号が出力されている期間の長さを測定する測定部と、測定された期間の長さを示す表示を行う表示部と、を有する。【選択図】  図１
2015169568.tif 000002
【特許請求の範囲】
【請求項１】
試験対象の電解コンデンサに充電を行うとともに、充電停止後に前記電解コンデンサに充電された電力を出力する充電制御部と、
前記充電制御部から供給される前記電解コンデンサに充電された電力を用いて試験信号を出力する信号発生部と、
前記試験信号を受け、前記試験信号が出力されている期間の長さを測定する測定部と、
測定された前記期間の長さを示す表示を行う表示部と、
を備えることを特徴とする電解コンデンサの容量確認装置。
【請求項２】
試験対象の電解コンデンサに充電を行うとともに、充電停止後に前記電解コンデンサに充電された電力を出力する充電制御部と、
前記充電制御部から供給される前記電解コンデンサに充電された電力を用いて試験信号を出力する信号発生部と、
前記試験信号を受け、前記試験信号が出力されている期間の長さを測定する測定部と、
前記電解コンデンサの種類の入力を受ける入力部と、
前記電解コンデンサの種類ごとに、前記電解コンデンサの容量値と前記期間の長さとの対応関係を示す情報を記憶する記憶部と、
前記情報を参照し、測定された前記期間の長さに応じて前記電解コンデンサの容量値を求め、求めた前記電解コンデンサの容量値に応じて、前記電解コンデンサの使用の可否を判定する判定部と、
判定された前記電解コンデンサの使用可否を示す表示を行う表示部と、
を備えることを特徴とする電解コンデンサの容量確認装置。
【請求項３】
試験対象の電解コンデンサに充電を行うとともに、充電停止後に前記電解コンデンサに充電された電力を出力し、
供給される前記電解コンデンサに充電された電力を用いて試験信号を出力し、
前記試験信号を受け、前記試験信号が出力されている期間の長さを測定し、
測定された前記期間の長さを示す表示を行う
ことを特徴とする電解コンデンサの容量確認方法。
【請求項４】
試験対象の電解コンデンサに充電を行うとともに、充電停止後に前記電解コンデンサに充電された電力を出力し、
供給される前記電解コンデンサに充電された電力を用いて試験信号を出力し、
前記試験信号を受け、前記試験信号が出力されている期間の長さを測定し、
前記電解コンデンサの種類の入力を受け、
前記電解コンデンサの種類ごとに準備された、前記電解コンデンサの容量値と前記期間の長さとの対応関係を示す情報を参照し、測定された前記期間の長さに応じて前記電解コンデンサの容量値を求め、求めた前記電解コンデンサの容量値に応じて、前記電解コンデンサの使用の可否を判定し、
判定された前記電解コンデンサの使用可否を示す表示を行う
ことを特徴とする電解コンデンサの容量確認方法。
【発明の詳細な説明】
【技術分野】
【０００１】
本発明は、電解コンデンサの容量確認装置および容量確認方法に関する。
【背景技術】
【０００２】
従来から、各種の電子機器にはアルミ電解コンデンサ等の電解コンデンサが使用されている。電解コンデンサは、無負荷で長時間放置すると陽極箔の酸化被膜と電解液とが化学変化を起こし、電解コンデンサの容量値が低下してしまうことが知られている（例えば、特許文献１）。
【０００３】
例えば、保守用品や在庫として管理される電子機器は、通電されない状態のままで長期間放置されうるため、電子機器内部の電解コンデンサの容量値が低下し、電子機器の使用に支障が生じる場合もある。
【先行技術文献】
【特許文献】
【０００４】
【特許文献１】特開２０１２−１８６３８０号公報
【発明の概要】
【発明が解決しようとする課題】
【０００５】
通電されない状態のまま長期間放置された電子機器を使用しようとする場合、電子機器の使用の可否や修理の要否などを判定する一要素として、電解コンデンサの容量値がどの程度低下しているかを確認できることが好ましい。
【０００６】
そこで、本件開示の電解コンデンサの容量確認装置および容量確認方法は、電解コンデンサの容量値を確認するための技術を提供することを目的とする。
【課題を解決するための手段】
【０００７】
一つの観点によれば、電解コンデンサの容量確認装置は、試験対象の電解コンデンサに充電を行うとともに、充電停止後に電解コンデンサに充電された電力を出力する充電制御部と、充電制御部から供給される電解コンデンサに充電された電力を用いて試験信号を出力する信号発生部と、試験信号を受け、試験信号が出力されている期間の長さを測定する測定部と、測定された期間の長さを示す表示を行う表示部と、を有する。
【０００８】
別の観点によれば、電解コンデンサの容量確認装置は、試験対象の電解コンデンサに充電を行うとともに、充電停止後に電解コンデンサに充電された電力を出力する充電制御部と、充電制御部から供給される電解コンデンサに充電された電力を用いて試験信号を出力する信号発生部と、試験信号を受け、試験信号が出力されている期間の長さを測定する測定部と、電解コンデンサの種類の入力を受ける入力部と、電解コンデンサの種類ごとに、電解コンデンサの容量値と期間の長さとの対応関係を示す情報を記憶する記憶部と、情報を参照し、測定された期間の長さに応じて電解コンデンサの容量値を求め、求めた電解コンデンサの容量値に応じて、電解コンデンサの使用の可否を判定する判定部と、判定された電解コンデンサの使用可否を示す表示を行う表示部と、を有する。
【０００９】
別の観点によれば、電解コンデンサの容量確認方法は、試験対象の電解コンデンサに充電を行うとともに、充電停止後に電解コンデンサに充電された電力を出力し、供給される電解コンデンサに充電された電力を用いて試験信号を出力し、試験信号を受け、試験信号が出力されている期間の長さを測定し、測定された期間の長さを示す表示を行う。
【００１０】
別の観点によれば、電解コンデンサの容量確認方法は、試験対象の電解コンデンサに充電を行うとともに、充電停止後に電解コンデンサに充電された電力を出力し、供給される電解コンデンサに充電された電力を用いて試験信号を出力し、試験信号を受け、試験信号が出力されている期間の長さを測定し、電解コンデンサの種類の入力を受け、電解コンデンサの種類ごとに準備された、電解コンデンサの容量値と期間の長さとの対応関係を示す情報を参照し、測定された期間の長さに応じて電解コンデンサの容量値を求め、求めた電解コンデンサの容量値に応じて、電解コンデンサの使用の可否を判定し、判定された電解コンデンサの使用可否を示す表示を行う。
【発明の効果】
【００１１】
本件開示の電解コンデンサの容量確認装置および容量確認方法は、電解コンデンサの容量値を確認することができる。
【図面の簡単な説明】
【００１２】
【図１】電解コンデンサの容量確認装置の一実施形態を示す図である。
【図２】図１に示した容量確認装置の動作例を示す図である。
【図３】図１に示した電解コンデンサにおいて試験信号出力時における電圧の時間変化の例を示す図である。
【図４】図１に示した容量確認装置における表示部の表示例を示す図である。
【図５】電解コンデンサの容量確認装置の別の実施形態を示す図である。
【図６】図５に示した容量確認装置の動作例を示す図である。
【図７】図５に示した電解コンデンサにおいて試験信号出力時における電圧の時間変化の例を示す図である。
【図８】図５に示した容量確認装置における表示部の表示例を示す図である。
【発明を実施するための形態】
【００１３】
以下、図面を用いて実施形態を説明する。
【００１４】
図１は、電解コンデンサの容量確認装置の一実施形態を示す。図１において、電解コンデンサの容量確認装置（以下、容量確認装置と称する）１０は、電子機器３０に実装される電解コンデンサ３２の容量値を確認するために使用される。
【００１５】
一実施形態の電子機器３０は、例えば、通信装置の電源盤（パッケージ）等であり、回路の一部に１以上の電解コンデンサ３２を含む。電解コンデンサ３２は、例えばアルミ電解コンデンサである。電解コンデンサ３２の容量値を確認するときには、試験対象の電解コンデンサ３２は電子機器３０の回路から電気的に切り離されて、容量確認装置１０に接続される。例えば、電子機器３０の回路から電解コンデンサ３２を切り離すスイッチを予め電子機器３０に設けてもよく、電子機器３０の半田付けを溶かして電解コンデンサ３２を回路から切り離してもよい。
【００１６】
容量確認装置１０は、充電制御部１２と、信号発生部１６と、測定部１８と、表示部２０とを有する。充電制御部１２は、配線１４により電解コンデンサ３２と接続される。また、充電制御部１２は、信号発生部１６と接続される。信号発生部１６は、測定部１８と接続される。測定部１８は、表示部２０と接続される。
【００１７】
充電制御部１２は、容量確認装置１０に接続された電解コンデンサ３２に電力を供給し、電解コンデンサ３２を充電する。また、充電制御部１２は、充電停止後に、電解コンデンサ３２に充電された電力を信号発生部１６に出力する。
【００１８】
信号発生部１６は、充電制御部１２から供給される電解コンデンサ３２に充電された電力を用いて試験信号を測定部１８に出力する。例えば、試験信号は、所定の周波数で出力されるパルス信号であってもよく、ハイレベルを示す所定電圧以上の信号を継続的に出力するものであってもよい。
【００１９】
測定部１８は、信号発生部１６からの試験信号を監視し、試験信号が出力された期間の長さを測定する。測定部１８は、例えば試験信号がパルス信号の場合には、信号発生部１６から受けたパルス信号の数をカウントし、パルス信号の数とパルス信号の周波数とを用いて試験信号の出力期間を求めればよい。また、測定部１８は、例えば試験信号が継続的に出力されるハイレベルの信号である場合には、信号発生部１６から試験信号が出力されてから、試験信号の電圧が閾値以下に低下するまでの期間（ハイレベルの期間）を測定すればよい。
【００２０】
表示部２０は、例えば、液晶パネル等を用いたデジタル表示部であり、測定部１８により測定された試験信号が出力された期間の長さを示す表示を行う。表示部２０は、例えば、試験信号が出力された期間の長さを数値（５マイクロ秒など）で表示してもよく、例えば、試験信号が出力された期間の長さをレベルメータなどのグラフなどで表示してもよい。
【００２１】
図２は、図１に示した容量確認装置１０の動作例を示す。なお、図２の動作は、電解コンデンサの容量確認方法の一例である。以下の動作を行う前提として、電解コンデンサ３２は、電子機器３０から切り離され、充電制御部１２と接続される。
【００２２】
ステップＳ１０１において、充電制御部１２により、電解コンデンサ３２に電力が供給され、電解コンデンサ３２が充電される。
【００２３】
ステップＳ１０２において、充電制御部１２による電解コンデンサ３２への充電が停止される。
【００２４】
ステップＳ１０３において、充電制御部１２は、電解コンデンサ３２に充電されていた電力を信号発生部１６に出力する。
【００２５】
ステップＳ１０４において、信号発生部１６は、図１で説明したように、電解コンデンサ３２に充電されていた電力を用いて、測定部１８に試験信号を出力する。試験信号は、電解コンデンサ３２に充電されていた電力が充電制御部１２から供給されている期間、出力される。
【００２６】
ステップＳ１０５において、測定部１８は、信号発生部１６から出力される試験信号を監視し、試験信号が出力されている期間の長さを測定する。
【００２７】
図３は、図１に示した電解コンデンサ３２において試験信号出力時における電圧の時間変化の例を示す。図３において、縦軸は電圧（Ｖ）を示し、横軸は時間（Ｔ）を示す。図３の曲線Ａは、試験対象の電解コンデンサ３２が劣化していない正常な容量値の場合における電圧の時間変化の例を示す。図３の曲線Ｂ、曲線Ｃは、曲線Ａの電解コンデンサ３２が経年劣化した場合における電圧の時間変化の例をそれぞれ示す。なお、図３の曲線Ｃは、曲線Ｂの場合と比べて電解コンデンサ３２の劣化の度合いが大きい場合を示している。
【００２８】
縦軸において、ＶＭＡＸは、充電制御部１２によって試験対象の電解コンデンサ３２がフル充電されたときの電圧を示す。Ｖ１は、信号発生部１６が試験信号を正常に出力できる電圧の上限値を示す。すなわち、信号発生部１６は、電解コンデンサ３２から供給される電力がＶＭＡＸからＶ１までの電圧のときに試験信号を送信する。
【００２９】
横軸において、ＴＡ、ＴＢ、ＴＣは、曲線Ａ、Ｂ、Ｃに対応する電解コンデンサ３２がフル充電されたときに試験信号の送信が停止する時点をそれぞれ示している。
【００３０】
測定部１８の受ける試験信号は、試験信号のコンデンサ３２の電力がＶ１に低下するまで信号発生部１６から出力される。これにより、測定部１８は、試験信号の出力される期間の長さを測定することで、電解コンデンサ３２から出力される電力の電圧がＶＭＡＸからＶ１になるまでの期間の長さを測定できる。例えば、図３に示すように、同じ種類の電解コンデンサ３２において、電解コンデンサ３２から出力される電力の電圧がＶＭＡＸからＶ１になるまでの期間の長さが長いほど電解コンデンサ３２の容量値が多く、電解コンデンサ３２の劣化の度合いが低いことになる。したがって、測定部１８によって電解コンデンサ３２の容量値を時間換算で測定することで、作業者は電解コンデンサ３２の劣化度合いを判断することができる。
【００３１】
ステップＳ１０６において、表示部２０は、測定部１８が測定した試験信号の出力期間の長さを、例えばグラフや数値（出力期間の秒数など）等で表示する。
【００３２】
図４は、図１に示した容量確認装置１０における表示部２０の表示例を示す。図４において、表示部２０は、９個のブロックに分かれた横棒状の表示になっている。図４では、表示部２０は、左側３ブロックは赤、中央３ブロックは黄、右側３ブロックは緑のランプが点灯する例を示す。なお、表示部２０は、９ブロックとも全て同一の色（例えば、青）のランプが点灯するようなものであってもよい。
【００３３】
例えば、表示部２０は、測定部１８の測定した試験信号の出力期間の長さに応じて、左から順にランプを点灯させる。点灯するブロック数は、例えば測定部１８が測定した試験信号の出力期間の長さが３マイクロ秒なら３ブロック点灯など、期間の長さに応じて絶対的に決まってもよい。また、試験対象の電解コンデンサ３２の劣化前の容量値に対応する試験信号の出力期間が予め容量確認装置１０に記憶されている場合、例えば劣化前ならば全て点灯など、記憶されている出力期間との割合に応じて、点灯させるブロック数が相対的に決まってもよい。例えば、表示部２０は、測定部１８が測定した期間の長さが図３のＴＡの時点までのときには全てのブロックを点灯させ、ＴＢの時点までのときには中央ブロックまで点灯させ、ＴＣの時点までのときは左側のブロックのみを点灯させてもよい。これにより、作業者は、表示部２０の表示により試験対象の電解コンデンサ３２の容量値を時間換算で把握できる。
【００３４】
以上、図１−図４に示した実施形態では、作業者は、表示部２０の表示により試験対象の電解コンデンサ３２の容量値を時間換算で確認することができる。また、試験対象の電解コンデンサ３２の劣化前の容量値に対応する試験信号の出力期間の長さが既知であれば、作業者は、表示部２０に表示された測定結果から、試験対象の電解コンデンサ３２が使用できるか否かを判断することもできる。例えば、図３の例において、試験信号の出力期間の長さがＴｃの時点までの場合には、作業者は、試験信号の出力期間の長さがＴＡ、ＴＢの時点までの場合に比べて電解コンデンサ３２の劣化度合いが大きく、電解コンデンサ３２が使用できないと判断できる。
【００３５】
例えば、電子機器３０が通信装置の電源盤の場合、メーカは、電解コンデンサ３２の容量値の低下を防ぐため、電源盤に対して例えば１年間に１度、２４時間の通電エージングをするように注意勧告をしている。通信装置の運用者は、電源盤に通電エージングを行う設備を有しないため、保守用品の電源盤の正常性確認をメーカに依頼することがある。電源盤のメーカは、電解コンデンサの容量値の劣化度合いが判断できない場合、正常に動作する電解コンデンサ３２であってもすべて交換することとなる。また、例えば、電源盤の保守サポート期限が終了した場合、通信装置の運用者は、電源盤の正常性確認をメーカに依頼できないため、保守用品の電源盤の使用可否を判断することが困難となる。
【００３６】
ここで、図１に示した容量確認装置１０を用いる場合、メーカは、パッケージの正常性確認において、表示部２０の表示により電解コンデンサ３２の容量値を時間換算で把握でき、電解コンデンサ３２を交換すべきか否かの判断が可能となる。また、図１に示した容量確認装置１０を用いる場合、運用者は、メーカに依頼しなくても電解コンデンサ３２の容量値を把握でき、現場で保守用品の使用可否を判断することができる。
【００３７】
次に、電解コンデンサの容量確認装置および容量確認方法の別の実施形態を説明する。
【００３８】
図５は、電解コンデンサの容量確認装置の別の実施形態を示す。図５では、図１と同一または同様の構成は、図１と同一の符号を用い、詳細な説明は省略する。この実施形態では、容量確認装置１０Ａは、入力部２２、記憶部２４、判定部２６をさらに有し、表示部２０の代わりに表示部２０Ａを有する。容量確認装置１０Ａにおいて、表示部２０Ａ、入力部２２、記憶部２４、判定部２６を除く構成は、図１に示した容量確認装置１０と同一または同様である。なお、本実施形態では、判定部２６は、測定部１８、表示部２０Ａ、入力部２２および記憶部２４とそれぞれ接続される。
【００３９】
本実施形態における表示部２０Ａは、例えば、液晶パネル等を用いたデジタル表示部であり、後述の判定部２６による判定結果を表示する。表示部２０Ａは、例えば、判定結果を数値や文字で表示してもよく、レベルメータなどのグラフなどで表示してもよい。なお、表示部２０Ａは、判定部２６による判定結果を表示するとともに測定部１８で測定された試験信号が出力された期間の長さを表示してもよい。
【００４０】
入力部２２は、試験対象の電解コンデンサ３２の種類（例えば型番など）の入力を作業者から受け付ける。例えば、入力部２２は、キーボードやＧＵＩ（Graphical User Interface）形式のタッチパネル等であってもよい。
【００４１】
記憶部２４は、例えば、不揮発性の記憶媒体であり、電解コンデンサ３２の種類ごとに、試験信号の出力期間と電解コンデンサ３２の容量値との対応関係を示す情報をそれぞれ記憶している。例えば、記憶部２４は、型番Ｘの電解コンデンサ３２について、試験信号の出力期間がＮマイクロ秒のとき、電解コンデンサ３２の容量値が最大値（劣化していない正常な容量値）の何％であるかを示す情報を記憶する。なお、記憶部２４は、試験信号の出力期間がＮマイクロ秒のとき、電解コンデンサ３２の容量値の具体的な数値（例えば、Ｍマイクロファラドなど）を示す情報を記憶してもよい。
【００４２】
判定部２６は、電解コンデンサ３２の種類を示す入力と測定部１８が測定した試験信号の出力期間の長さとを取得し、記憶部２４を参照して試験対象の電解コンデンサ３２の容量値を求める。そして、判定部２６は、求めた容量値を基に、試験対象の電解コンデンサ３２の使用の可否を判定する。例えば、判定部２６は、求めた電解コンデンサ３２の容量値が所定の閾値（例えば、最大値の３分の１）以上であるときに、電解コンデンサ３２は使用可と判定する。また、例えば、判定部２６は、求めた電解コンデンサ３２の容量値が所定の閾値（例えば、最大値の３分の１）未満であるときに、電解コンデンサ３２は使用不可と判定する。
【００４３】
図６は、図５に示した容量確認装置１０Ａの動作例を示す。なお、図６の動作は、電解コンデンサの容量確認方法の一例である。図６では、容量確認装置１０Ａが、電子機器３０における電解コンデンサ３２の使用の可否を判定する動作を説明する。なお、図６において、ステップＳ２０１−Ｓ２０５の動作は、図２のステップＳ１０１−Ｓ１０５の動作と同様であるため、詳細な説明を省略する。
【００４４】
ステップＳ２０６において、判定部２６は、試験対象の電解コンデンサ３２の容量値を求める。まず、判定部２６は、入力部２２を介して電解コンデンサ３２の種類（例えば、型番Ｘなど）の入力を受け付ける。そして、判定部２６は、測定部１８がステップＳ２０５で測定した試験信号の出力期間の長さの情報（例えば、Ｎマイクロ秒など）を取得する。その後、判定部２６は、記憶部２４の情報を参照し、試験対象の電解コンデンサ３２の容量値を求める。例えば、判定部２６は、記憶部２４を参照し、測定部１８から受けた試験信号の出力期間の長さによって、試験対象の電解コンデンサ３２の容量値がどの程度まで低下しているかを求める。例えば、型番Ｘの電解コンデンサ３２について、劣化していなければ９マイクロ秒の出力期間であるとの情報が記憶部２４に記憶されているとする。この場合において、例えば、測定された期間の長さが６マイクロ秒であったときは、判定部２６は、電解コンデンサ３２の容量値は最大値の３分の２であると求める。
【００４５】
ステップＳ２０７において、判定部２６は、試験対象の電解コンデンサ３２の使用可否を判定する。例えば、判定部２６は、記憶部２４を参照した結果、試験対象の電解コンデンサ３２の容量値が所定の閾値（例えば、最大値の３分の１）以上の場合、電解コンデンサ３２は使用可と判定する。一方、例えば、判定部２６は、記憶部２４を参照した結果、試験対象の電解コンデンサ３２の容量値が所定の閾値（例えば、最大値の３分の１）未満の場合、電解コンデンサ３２は使用不可と判定する。
【００４６】
図７は、図５に示した電解コンデンサ３２において試験信号出力時における電圧の時間変化の例を示す。図７では、図３と同様の部分については、図３と同一の符号を用い、詳細な説明は省略する。図７において、ＴＴＨを除く部分は、図３に示した図と同様である。
【００４７】
横軸において、ＴＴＨは、判定部２６が電解コンデンサ３２の使用可否を判定する所定の閾値の時点の一例を示す。すなわち、例えば、判定部２６は、測定部１８が測定した試験信号の出力期間の長さがＴＴＨの時点を超えた長さとなっているか否かで使用の可否を判定する。例えば、判定部２６は、測定部１８が測定した試験信号の出力期間の長さがＴＴＨの時点を超えたＴＡ、ＴＢまでの長さの場合、試験対象の電解コンデンサ３２の容量値が所定の閾値以上であるため試験対象の電解コンデンサ３２は使用可と判定する。一方、例えば、判定部２６は、測定部１８が測定した試験信号の出力期間の長さがＴＴＨの時点を超えていないＴＣまでの長さの場合、試験対象の電解コンデンサ３２の容量値は所定の閾値未満であるため試験対象の電解コンデンサ３２は使用不可と判定する。
【００４８】
ステップＳ２０８において、表示部２０Ａは、判定部２６が判定した電解コンデンサ３２の使用可否の判定結果を示す表示を行う。
【００４９】
図８は、図５に示した容量確認装置１０Ａにおける表示部２０Ａの表示例を示す。例えば、表示部２０Ａは、判定部２６から電解コンデンサ３２が使用可能と判定した結果を受けているときは、図８（ａ）に示すように使用可能を示す表示として「○」を表示する。一方、例えば、表示部２０Ａは、判定部２６から電解コンデンサ３２が使用不可と判定した結果を受けているときは、図８（ｂ）に示すように使用不可を示す表示として「×」を表示する。これにより、作業者は、表示部２０Ａの表示を見れば、試験対象の電解コンデンサ３２の使用の可否を判断できる。
【００５０】
なお、表示部２０Ａに表示される判定部２６による判定結果を示す表示は○×には限らず、例えば、数値、文字、絵、キャラクタ、又はグラフ等を用いてもよい。また、表示部２０Ａは、判定部２６が求めた電解コンデンサ３２の容量値に応じて、図３に示すようにブロックを点灯させてもよい。また、表示部２０Ａは、判定部２６が求めた電解コンデンサ３２の容量値に応じて、図８に示した使用可否の判定結果と、図３に示した容量値に応じたブロックの点灯とを同時に表示してもよい。これにより、作業者は、表示部２０Ａの表示により試験対象の電解コンデンサ３２の使用可否を判断できる。
【００５１】
以上、図５−図８に示した実施形態では、図１−図４に示した実施形態における実施形態と同様に、作業者は、表示部２０の表示により試験対象の電解コンデンサ３２の容量値を時間換算で確認することができる。また、図５−図８に示した実施形態では、入力部２２は、電解コンデンサ３２の種類の入力を受け、記憶部２４は、電解コンデンサ３２の種類ごとに、電解コンデンサ３２の容量値と期間の長さとの対応関係を示す情報を記憶する。そして、判定部２６は、情報を参照し、測定された期間の長さに応じて電解コンデンサ３２の容量値を求め、求めた容量値に応じて、電解コンデンサ３２の使用の可否を判定し、表示部２０Ａは、判定された電解コンデンサ３２の使用可否を示す表示を行う。これにより、作業者は、容量確認装置１０Ａの表示部２０Ａの表示により、試験対象の電解コンデンサ３２の使用の可否を確認することができる。
【００５２】
その結果、図５に示した容量確認装置１０Ａを用いることにより、メーカでは、パッケージの正常性確認において、表示部２０Ａの表示により電解コンデンサ３２の使用の可否を把握でき、電解コンデンサ３２を交換すべきか否かの判断が可能となる。また、図５に示した容量確認装置１０Ａを用いる場合、運用者は、メーカに依頼しなくても電解コンデンサ３２の使用の可否を把握でき、現場で保守用品の使用可否を判断することができる。
【００５３】
なお、以上の実施形態において、容量確認装置１０、１０Ａは、電子機器３０から独立した装置である例を説明したが、電子機器３０と同じ筐体に組み込まれていてもよい。
【００５４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５５】
１０、１０Ａ…容量確認装置；１２…充電制御部；１４…配線；１６…信号発生部；１８…測定部；２０、２０Ａ…表示部；２２…入力部；２４…記憶部；２６…判定部；３０…電子機器；３２…電解コンデンサ；Ａ、Ｂ、Ｃ…曲線；Ｖ…電圧；ＶＭＡＸ、Ｖ１…電圧；Ｔ…時間；ＴＡ、ＴＢ、ＴＣ、ＴＴＨ…時点
【図１】
2015169568.tif 000003
【図２】
2015169568.tif 000004
【図３】
2015169568.tif 000005
【図４】
2015169568.tif 000006
【図５】
2015169568.tif 000007
【図６】
2015169568.tif 000008
【図７】
2015169568.tif 000009
【図８】
2015169568.tif 000010